(57)【要約】【課題】近くの通信システムの子機が誤って登録されてしまう可能性が低い通信システム、通信装置を提供する。【解決手段】親機であるコントローラ１は、端末２を登録する登録部１５１、登録済みの端末２との間で通信を行う通常モードと登録モードとを切り替える切替部１５２、端末２との通信に用いるチャネルを選択する第１選択部１５３としての機能を制御部１５に有している。子機である端末２は、コントローラ１に対し登録要求を送信する送信部２４１、コントローラ１との通信に用いるチャネルを選択する第２選択部２４３としての機能を制御部２４に有している。登録部１５１は、登録モードにおいて、第１選択部１５３で選択されたチャネルと同一のチャネルが選択された端末２から登録要求を受信したときに、登録要求の送信元の端末２を登録するように構成されている。【選択図】図１
2014049952.tif 000002
【特許請求の範囲】
【請求項１】
親機と複数台の子機との間で通信を行う通信システムであって、
前記親機は、
前記子機を登録する登録部と、
登録済みの前記子機との間で通信を行う通常モードと前記子機の登録を行う登録モードとを切り替える切替部と、
前記子機との通信に用いるチャネルを予め用意された選択範囲から選択する第１選択部とを有し、
前記複数台の前記子機の各々は、
前記親機に対し登録要求を送信する送信部と、
前記親機との通信に用いるチャネルを前記選択範囲から選択する第２選択部とを有し、
前記登録部は、
前記登録モードにおいて、前記第１選択部で選択されたチャネルと同一のチャネルが選択された前記子機から前記登録要求を受信したときに、当該登録要求の送信元の前記子機を登録するように構成されている
ことを特徴とする通信システム。
【請求項２】
前記第１選択部と前記第２選択部との少なくとも一方は、単一の押ボタンの押回数によって選択するチャネルを決定するように構成されている
ことを特徴とする請求項１に記載の通信システム。
【請求項３】
通信相手となる子機を登録する登録部と、
登録済みの前記子機との間で通信を行う通常モードと前記子機の登録を行う登録モードとを切り替える切替部と、
前記子機との通信に用いるチャネルを予め用意された選択範囲から選択する第１選択部とを有し、
前記登録部は、
前記登録モードにおいて、前記第１選択部で選択されたチャネルと同一のチャネルが選択された前記子機から登録要求を受信したときに、当該登録要求の送信元の前記子機を登録するように構成されている
ことを特徴とする通信装置。
【発明の詳細な説明】
【技術分野】
【０００１】
本発明は、親機と複数台の子機との間で通信を行う通信システム、通信装置に関する。
【背景技術】
【０００２】
従来から、この種の通信システムとして、複数の無線機器同士が無線信号を用いて通信を行うように構成されたシステム（無線ネットワークシステム）が提供されている（たとえば特許文献１参照）。
【０００３】
ここで、特許文献１には、親機（マスタ）である無線機器が、無線システム識別符号と自分の機器識別符号とを、予め決められたシステム設定用の無線チャネルを使って送信することが記載されている。子機（スレーブ）である無線機器は、親機から受信した無線システム識別符号と機器識別符号とを情報記憶手段に書き込み、自分の機器識別符号を親機に送信して登録モードを終了する。親機は、子機から受信した機器識別符号を情報記憶手段に書き込んで登録モードを終了する。
【０００４】
以後、通常通信となり、無線機器は識別符号を用いて通信相手を識別することが可能になる。
【先行技術文献】
【特許文献】
【０００５】
【特許文献１】特開２００２−１８６０３４号公報
【発明の概要】
【発明が解決しようとする課題】
【０００６】
しかし、特許文献１に記載のシステムでは、たとえば集合住宅などで近くに複数の通信システムが存在する環境で、近くの通信システムにて同時に子機の登録が行われると、親機に、別の通信システムの子機が誤って登録されてしまう可能性がある。特に、新築の集合住宅などで、住人の入居前に施工業者が一斉に子機の登録作業を行うような場合、隣家の子機が誤って登録されるような作業ミスを生じる可能性がある。
【０００７】
本発明は上記事由に鑑みて為されており、近くの通信システムの子機が誤って登録されてしまう可能性が低い通信システム、通信装置を提供することを目的とする。
【課題を解決するための手段】
【０００８】
本発明の通信システムは、親機と複数台の子機との間で通信を行う通信システムであって、前記親機は、前記子機を登録する登録部と、登録済みの前記子機との間で通信を行う通常モードと前記子機の登録を行う登録モードとを切り替える切替部と、前記子機との通信に用いるチャネルを予め用意された選択範囲から選択する第１選択部とを有し、前記複数台の前記子機の各々は、前記親機に対し登録要求を送信する送信部と、前記親機との通信に用いるチャネルを前記選択範囲から選択する第２選択部とを有し、前記登録部は、前記登録モードにおいて、前記第１選択部で選択されたチャネルと同一のチャネルが選択された前記子機から前記登録要求を受信したときに、当該登録要求の送信元の前記子機を登録するように構成されていることを特徴とする。
【０００９】
この通信システムにおいて、前記第１選択部と前記第２選択部との少なくとも一方は、単一の押ボタンの押回数によって選択するチャネルを決定するように構成されていることが望ましい。
【００１０】
本発明の通信装置は、通信相手となる子機を登録する登録部と、登録済みの前記子機との間で通信を行う通常モードと前記子機の登録を行う登録モードとを切り替える切替部と、前記子機との通信に用いるチャネルを予め用意された選択範囲から選択する第１選択部とを有し、前記登録部は、前記登録モードにおいて、前記第１選択部で選択されたチャネルと同一のチャネルが選択された前記子機から登録要求を受信したときに、当該登録要求の送信元の前記子機を登録するように構成されていることを特徴とする。
【発明の効果】
【００１１】
本発明は、登録部が、登録モードにおいて、第１選択部で選択されたチャネルと同一のチャネルが選択された子機から登録要求を受信したときに、登録要求の送信元の子機を登録する。したがって、近くの通信システムの子機が誤って登録されてしまう可能性が低いという利点がある。
【図面の簡単な説明】
【００１２】
【図１】実施形態に係る通信システムのシステム構成図である。
【図２】実施形態に係る通信システムのコントローラおよび端末の構成を示すブロック図である。
【図３】実施形態に係る通信システムの登録時の動作説明図である。
【図４】実施形態に係る通信システムの登録ネゴシエーション処理の動作説明図である。
【発明を実施するための形態】
【００１３】
本実施形態の通信システム１０は、図２に示すように、需要家１００に設置されたコントローラ１と、需要家１００で使用されコントローラ１との通信機能を具備する複数台の端末２０１，２０２，・・・とを備えている。コントローラ１は「親機」、「通信装置」として機能し、端末２０１，２０２，・・・（以下、各々を区別しないときには「端末２」という）は「子機」として機能する。
【００１４】
さらに本実施形態では、需要家１００で使用された電力を計測する電力メータ３の計測装置３１に付設され、コントローラ１との通信機能を具備する通信装置３２をさらに備えている。通信装置３２は計測装置３１と筐体（図示せず）を共用することが好ましいが、計測装置３１とは別に筐体を有していてもよい。以下では、需要家１００が集合住宅の各住戸である場合について例示するが、この例に限らず、需要家１００はたとえば戸建て住宅、事務所、工場などであってもよい。
【００１５】
コントローラ１は、ＨＥＭＳ（Home EnergyManagement System）機器であって、各種の電気機器（図示せず）に付設あるいは一体化された端末２との間で双方向に通信を行う。端末２が付設または一体化される電気機器としては、たとえば太陽電池や蓄電池やパワーコンディショナ等の電源設備、ＩＨクッキングヒータや給湯器や住宅情報盤等の設備機器、テレビ等の家電機器、パーソナルコンピュータやタブレット端末等の情報機器がある。
【００１６】
コントローラ１は、図１に示すように、端末２との通信を行う第１通信部１１と、通信装置３２（図２参照）との通信を行う第２通信部１２と、操作入力を受け付ける操作部１３と、表示灯１４と、各部の動作を制御する制御部１５とを有している。このコントローラ１は、需要家１００の分電盤（図示せず）内に収納されていてもよいし、分電盤とは別に筐体を有していてもよい。表示灯１４は、ＬＥＤ（発光ダイオード）からなり、その点灯状態によりコントローラ１の動作状態を表示する。制御部１５は、マイコン（マイクロコンピュータ）を主構成とし、所定のプログラムを実行することにより種々の機能を実現する。
【００１７】
第１通信部１１は、端末２との間で電波を伝送媒体に用いた通信路を通して双方向に無線通信を行うように構成されている。第２通信部１２は、通信装置３２との間で電波を伝送媒体に用いた通信路を通して双方向に無線通信を行うように構成されている。コントローラ１は、端末２から電気機器の消費電力等の情報を取得し、通信装置３２経由で電力会社に送信したり、端末２経由で電気機器の動作を制御したりする機能を備えている。さらに、コントローラ１は、通信装置３２から受信した検針データ等を、需要家１００の住宅情報盤やテレビ、パーソナルコンピュータ、タブレット端末等の電気機器に表示させたりする機能を備えている。
【００１８】
端末２は、図１に示すように、コントローラ１との通信を行う第３通信部２１と、操作入力を受け付ける操作部２２と、表示灯２３と、各部の動作を制御する制御部２４とを有している。表示灯２３は、ＬＥＤからなり、その点灯状態により端末２の動作状態を表示する。制御部２４は、マイコンを主構成とし、所定のプログラムを実行することにより種々の機能を実現する。
【００１９】
電力メータ３の計測装置３１は、電力会社（電気事業者）からの商用電力が供給される配電線（図示せず）に接続されており、需要家１００で使用された電力量を計測する。計測装置３１は、図２に示すように通信装置３２と共にいわゆるスマートメータとしての電力メータ３を構成し、配電線に接続されている上位装置（図示せず）と通信装置３２とが通信を行うことにより、検針データを電力会社に送信して遠隔検針等を可能にする。ここで、検針データは、少なくとも電力メータ３で所定期間内に測定された電力量（需要家１００での使用電力量）を含んでいる。
【００２０】
通信装置３２と上位装置との間の通信は、配電線を伝送媒体に用いて通信を行う電力線搬送通信（ＰＬＣ：Power LineCommunications）により実現される。つまり、通信装置３２と上位装置との間には、電力メータ３の上流側の配電線を伝送媒体に用いた通信路が形成され、通信装置３２は、この通信路を通して上位装置との間で電力線搬送通信を行うことにより、検針データを上位装置に送信する。
【００２１】
一方、通信装置３２は、コントローラ１との間では、電波を伝送媒体に用いた通信路を通して双方向に無線通信を行うように構成されている。これにより、コントローラ１は、たとえば電力メータ３の計測結果を表示して需要家１００の使用電力量を可視化したり、エネルギー需要のピークを抑制（ピークカット）するために電力会社側からの信号に基づいて端末（電気機器）２の動作を制御したりできる。
【００２２】
なお、商用電力は、変電所から、集合住宅の電気室などに設置された降圧トランス（図示せず）に配電され、降圧トランスにて降圧された後で配電線を通して需要家１００に供給される。上位装置は、降圧トランスの近傍に設置され、光ファイバ等を用いた専用回線（図示せず）を経由して、電力会社あるいは電力量の集計サービスを行う事業者が運営するサーバ（図示せず）に検針データを送信する。
【００２３】
また、需要家１００に設置された分電盤内には分岐回路ごとに使用電力量を測定する計測ユニット（図示せず）が設けられていてもよく、この場合、コントローラ１は計測ユニットでの測定結果を取得可能となるように計測ユニットにも接続される。この構成では、コントローラ１は、通信装置３２からピークカットのための信号を受信すると、計測ユニットで計測されている現在の各分岐回路の使用電力に基づいて、電気機器を制御するための信号を端末２に送信する。これにより、コントローラ１は、エネルギー需要のピークを抑制（ピークカット）するために電力会社側からの信号に基づいて、需要家１００で使用されている電気機器の動作を制御することができる。
【００２４】
さらに、コントローラ１は、電力メータ３ごとに予め割り当てられている識別情報（たとえばメータ番号）を用いて通信装置３２を識別している。つまり、需要家１００へのコントローラ１の設置時に、施工業者が、この需要家１００の電力メータ３の識別番号をコントローラ１に登録することにより、以後、コントローラ１にて電力メータ３を識別可能になる。そのため、コントローラ１は、需要家１００の通信装置３２と通信する際、たとえば隣家の通信装置３２と誤って通信するようなことはない。
【００２５】
ところで、コントローラ１と端末２とを通信可能とするためには、同一の需要家１００に設けられているコントローラ１と端末２との関連付けを行ってコントローラ１と端末２との間で接続を確立する必要がある。つまり、端末２の追加・変更時には、新設された端末２とコントローラ１との間で通信を開始するために、コントローラ１に新設の端末２を登録して同一需要家１００におけるコントローラ１と端末２とを関連付ける登録作業が必要である。なお、ここでいう接続は、物理的な接続ではなく、互いに通信相手としての紐付けがされて双方向の通信が可能な状態となる論理的な接続を意味する。
【００２６】
以下に、本実施形態の通信システム１０において、端末２を登録するための構成につい説明する。
【００２７】
通信システム１０の運用開始後においては、コントローラ１は、既に接続済みの住宅情報盤やテレビ、パーソナルコンピュータ、タブレット端末等の電気機器をユーザインタフェースとして、新設の端末２の登録に用いることができる。具体的には、ユーザは、これらの電気機器に搭載されているＷｅｂブラウザなどによりコントローラ１にアクセスし、ＧＵＩ（Graphical UserInterface）等を用いて必要な情報を入力することによりコントローラ１に新設の端末２を登録できる。
【００２８】
ただし、通信システム１０の運用開始前（初期導入時）などにおいては、通常、コントローラ１は、ユーザインタフェースとして利用可能な一切の電気機器に接続されていない状態にある。そのため、新築の集合住宅などで、住人の入居前に複数の需要家１００について施工業者がたとえばＩＨクッキングヒータや給湯器の端末２を一斉に登録する場合、コントローラ１に隣家の端末２が誤って登録されてしまうことが考えられる。
【００２９】
そこで、本実施形態の通信システム１０は、図１に示すようにコントローラ１および端末２に以下の構成を採用することにより、誤登録が生じることを防止している。
【００３０】
すなわち、親機であるコントローラ１は、端末２を登録する登録部１５１、動作モードを切り替える切替部１５２、端末２との通信に用いるチャネルを選択する第１選択部１５３としての機能を制御部１５に有している。また、子機である端末２は、各々、コントローラ１に対し登録要求を送信する送信部２４１、動作モードを切り替える切替部２４２、コントローラ１との通信に用いるチャネルを選択する第２選択部２４３としての機能を制御部２４に有している。
【００３１】
登録部１５１は、コントローラ１のメモリ１６に、端末２との通信に必要な登録データを書き込むことにより、端末２の登録を行う。ここでいう登録データは、端末２ごとに予め割り当てられている固有の番号（ＭＡＣアドレス）等であり、端末２のメモリ２５に予め記憶されている。
【００３２】
切替部１５２は、登録済みの端末２との間で通信を行う通常モードと、端末２の登録を行う登録モードとを切り替える。ここで、切替部１５２は、操作部１３の操作に応じて通常モードと登録モードとを交互に切り替える。つまり、コントローラ１は、登録モードにおいて、メモリ１６への登録データの書き込みを行い、通常モードにおいては、メモリ１６に登録データが記憶されている端末２を通信相手として通信を行う。
【００３３】
第１選択部１５３は、端末２との通信に用いるチャネルを、予め用意された選択範囲から選択する。本実施形態では、通信に用いる周波数がチャネルとして利用されることとするが、周波数に限らず、たとえば通信期間を複数に分割した時間帯であるタイムスロットもチャネルとして利用可能である。ここでは、「０」〜「９」の１０通りのチャネルが選択範囲として用意されており、第１選択部１５３は、操作部１３の操作に応じてこれら１０通りのチャネルの中から、コントローラ１が端末２との通信に用いるチャネルを択一的に選択する。
【００３４】
また、端末２の送信部２４１は、コントローラ１に対して登録要求を送信する。切替部２４２は、コントローラ１との間で通信を行う通常モードと、登録要求を送信する登録モードとを切り替える。ここで、切替部２４２は、操作部２２の操作に応じて通常モードと登録モードとを交互に切り替える。つまり、端末２は、登録モードにおいて登録要求の送信を行い、通常モードにおいては、コントローラ１を通信相手として通信を行う。
【００３５】
第２選択部２４３は、コントローラ１との通信に用いるチャネルを、予め用意された選択範囲から選択する。ここでいう選択範囲は、コントローラ１の第１選択部１５で採用した選択範囲と同一であって、本実施形態では、通信に用いる周波数がチャネルとして利用され、「０」〜「９」の１０通りのチャネルが選択範囲として用意されている。第２選択部２４３は、操作部２２の操作に応じてこれら１０通りのチャネルの中から、端末２がコントローラ１との通信に用いるチャネルを択一的に選択する。
【００３６】
ここにおいて、コントローラ１の登録部１５１は、登録モードにおいて、第１選択部１５３で選択されたチャネルと同一のチャネルが選択された端末２から登録要求を受信したときに、登録要求の送信元の端末２を登録するように構成されている。要するに、登録部１５１は、登録モードにおいて、端末２の送信部２４１から登録要求を受信し、且つこの端末２の第２選択部２４３で選択されたチャネルと第１選択部１５３で選択されたチャネルとが一致することを条件に、この端末２を登録する。言い換えれば、登録部１５１は、登録モードにおいて登録要求を受信することがあっても、登録要求の送信元の端末２の第２選択部２４３で選択中のチャネルと、第１選択部１５３で選択中のチャネルとが一致しなければ、この端末２の登録は行わない。
【００３７】
なお、本実施形態ではコントローラ１の操作部１３は登録確認ボタンとキャンセルボタンとの２つの押ボタンを備えており、端末２の操作部２２は単一の押ボタンを備えている。
【００３８】
以下、本実施形態の通信システム１０における登録時の具体的な動作例について、図３を参照して説明する。
【００３９】
コントローラ１は、通常モードで動作中に、操作部１３において登録確認ボタンが１回押操作されると（図３のＳ１）、切替部１５２にて動作モードを通常モードから登録モードへ移行させる（Ｓ２）。施工業者は、登録モードへ移行後の一定の選択期間（たとえば１０秒間）に登録確認ボタンを所定回数だけ押操作し（Ｓ３）、コントローラ１は、このときの登録確認ボタンの押回数によって第１選択部１５３で選択するチャネルを決定する（Ｓ４）。ここでは、コントローラ１は、登録確認ボタンが押操作される度に第１選択部１５３で選択中のチャネルを「０」〜「９」の選択範囲で順次変更するように構成されており、登録モードへ移行後に登録確認ボタンがＮ回押下されるとチャネル「Ｎ」を選択する。
【００４０】
一方、端末２は、操作部２２において押ボタンが１回押操作されると（Ｓ５）、切替部２４２にて動作モードを通常モードから登録モードへ移行させる（Ｓ６）。施工業者は、登録モードへ移行後の一定の選択期間（たとえば１０秒間）に押ボタンを所定回数だけ押操作し（Ｓ７）、端末２は、このときの押ボタンの押回数によって第２選択部２４３で選択するチャネルを決定する（Ｓ８）。ここでは、端末２は、押ボタンが押操作される度に第２選択部２４３で選択中のチャネルを「０」〜「９」の選択範囲で順次変更するように構成されており、登録モードへ移行後に登録確認ボタンがＮ回押下されるとチャネル「Ｎ」を選択する。
【００４１】
ここにおいて、施工業者は、処理Ｓ３での登録確認ボタンの押回数と、処理Ｓ７での押ボタンの押回数とを一致させることで、第１選択部１５３で選択されたチャネルと第２選択部２４３で選択されるチャネルとを一致させる。つまり、施工業者は、登録モードにおいて、コントローラ１と端末２とで通信用のチャネルを揃えることにより、コントローラ１−端末２間での通信を可能とする。
【００４２】
端末２は、選択期間が経過すると、第２選択部２４３で選択されたチャネルで、送信部２４１から登録要求の送信を行う（Ｓ９）。コントローラ１は、登録要求を受信したことをトリガにして、端末２との間で登録ネゴシエーション処理を開始し、この登録ネゴシエーション処理により端末２の登録を行う（Ｓ１０）。
【００４３】
ただし、コントローラ１は、第１選択部１５３で選択されているチャネルと、登録要求の送信元である端末２の第２選択部２４３で選択されているチャネルとが一致している場合のみ、登録要求を受信可能である。言い換えれば、コントローラ１は、第１選択部１５３で選択中のチャネルと同一チャネルの端末２から登録要求が送信された場合のみ登録ネゴシエーション処理を開始し、異なるチャネルの端末２から登録要求が送信されても登録ネゴシエーション処理を開始しない。そして、コントローラ１は、登録モードに移行してから一定時間以内に登録ネゴシエーション処理が開始されなければ、登録失敗と判断し、タイムアウトして通常モードに移行する。端末２は、登録要求を送信してから一定時間以内にコントローラ１からの応答がなければ、登録失敗と判断し、タイムアウトして通常モードに移行する。
【００４４】
コントローラ１は、登録モードに移行後、登録ネゴシエーション処理が完了するまでは、表示灯１４をたとえば点滅させることにより、表示灯１４の点灯状態にて登録中であることを表示する。同様に、端末２は、登録モードに移行後、登録ネゴシエーション処理が完了するまでは、表示灯２３をたとえば点滅させることにより、表示灯２３の点灯状態にて登録中であることを表示する。
【００４５】
コントローラ１は、登録に成功して登録ネゴシエーション処理が正常に完了すると、表示灯１４をたとえば連続点灯させることにより、表示灯１４の点灯状態にて登録完了を表示する。この状態で登録確認ボタンが１回押操作されると（Ｓ１１）、コントローラ１は、切替部１５２にて動作モードを登録モードから通常モードへ移行させ、表示灯１４を消灯させる（Ｓ１２）。また、コントローラ１は、登録ネゴシエーション処理の完了後、一定時間（たとえば５分）が経過すれば、登録確認ボタンが押操作されなくても、自動的に切替部１５２にて動作モードを登録モードから通常モードへ移行させ、表示灯１４を消灯させる。
【００４６】
同様に、端末２は、登録に成功して登録ネゴシエーション処理が正常に完了すると、表示灯２３をたとえば連続点灯させることにより、表示灯２３の点灯状態にて登録完了を表示する。この状態で押ボタンが１回押操作されると（Ｓ１３）、端末２は、切替部２４２にて動作モードを登録モードから通常モードへ移行させ、表示灯２３を消灯させる（Ｓ１４）。また、端末２は、登録ネゴシエーション処理の完了後、一定時間（たとえば５分）が経過すれば、押ボタンが押操作されなくても、自動的に切替部２４２にて動作モードを登録モードから通常モードへ移行させ、表示灯２３を消灯させる。
【００４７】
あるいは、コントローラ１は、登録ネゴシエーション処理が完了して表示灯１４の点灯状態にて登録完了を表示している状態で、登録確認ボタンではなくキャンセルボタンが１回押操作されると、端末２の登録をキャンセルする。具体的には、コントローラ１は、キャンセルボタンが押操作されると、直前の登録ネゴシエーション処理にてメモリ１６に書き込んだ端末２の登録データを個別に消去する。
【００４８】
次に、本実施形態の通信システム１０における登録ネゴシエーション処理について図４を参照して説明する。
【００４９】
まず、コントローラ１および端末２はＭＡＣレイヤの設定のための処理（図４のＳ２１〜２３）を行う。すなわち、端末２は、コントローラ１に対して登録要求としてのアソシエーション要求を送信し（Ｓ２１）、続けてデータ要求をコントローラ１に送信する（Ｓ２２）。これに応答して、コントローラ１は、登録要求の送信元の端末２に接続を許可する内容のアソシエーション応答を送信する（Ｓ２３）。これらの処理により、コントローラ１は端末２のショートアドレス、ＭＡＣアドレス（６４ビット）を取得し、コントローラ１−端末２間の通信に必要なＰＡＮ識別子やショートアドレスが設定される。
【００５０】
次に、コントローラ１および端末２はセキュリティの設定のための処理（Ｓ２４，２５）を行う。すなわち、端末２は、コントローラ１に対して認証要求を送信する（Ｓ２４）。これに応答して、コントローラ１は、認証要求の送信元の端末２にセッション鍵（家鍵）を配布する（Ｓ２５）。これらの処理により、コントローラ１−端末２間の通信に必要なセッション鍵が設定される。
【００５１】
最後に、コントローラ１および端末２はアプリケーションレイヤの設定のための処理（Ｓ２６〜２８）を行う。すなわち、端末２は、インスタンスリスト通知をブロードキャストで送信する（Ｓ２６）。それから、コントローラ１は、ハード情報取得要求を端末２に送信する（Ｓ２７）。これに応答して、端末２は、ハード情報取得応答をコントローラ１に送信する（Ｓ２８）。これらの処理により、コントローラ１は、端末２のハード情報、ＥＯＪ（ＥＣＨＯＮＥＴオブジェクト）を取得する。
【００５２】
なお、登録ネゴシエーション処理においては、インスタンスリスト通知以外の全てのデータについて、受信側のノードは送信側のノードに対し正常にデータを受信したことを表すＡＣＫ（図４では破線で示す）を返信する。
【００５３】
以上説明した本実施形態の通信システム１０によれば、コントローラ（親機）１の登録部１５１は、登録モードにおいて、第１選択部１５３で選択されたチャネルと同一のチャネルが選択された端末（子機）２から登録要求を受信したときに端末２を登録する。言い換えれば、親機たるコントローラ１の第１選択部１５３で選択されたチャネルと、子機たる端末２の第２選択部２４３で選択されたチャネルとが一致していなければ、端末２がコントローラ１に登録されることはない。
【００５４】
したがって、集合住宅などで近くに複数の通信システム１０が存在する環境で、近くの通信システム１０にて同時に端末２の登録が行われたとしても、チャネルが一致しない限り、コントローラ１に別の通信システム１０の端末２が誤って登録されることはない。要するに、本実施形態の通信システムによれば、チャネルの選択ができない構成に比べて、近くの通信システム１０の端末（子機）２が誤って登録されてしまう可能性をチャネル数分の１（たとえば１０チャネルから選択される場合、１０分の１）に低減できる。特に、新築の集合住宅などで一斉に登録作業を行うような場合、施工業者は、近くの通信システム１０同士でチャネルが重複しないように通信システム１０ごとに異なるチャネルを選択すれば、隣家の端末２が誤って登録されることを確実に回避できる。
【００５５】
また、本実施形態では、第１選択部１５３は、単一の押ボタン（登録確認ボタン）の押回数によって選択中のチャネルを変更するように構成されている。したがって、コントローラ１は、操作部１３として、チャネルを選択するためにテンキーなどの複数のボタンを配する必要がなく、チャネルを選択可能としながらも操作部１３が大型化することを回避できる。第２選択部２４３も同様に、単一の押ボタンの押回数によって選択中のチャネルを変更するように構成されている。そのため、端末２は、操作部２２として、チャネルを選択するためにテンキーなどの複数のボタンを配する必要がなく、チャネルを選択可能としながらも操作部２２が大型化することを回避できる。
【００５６】
なお、第１選択部１５３と第２選択部２４３とは少なくとも一方が、単一の押ボタン（登録確認ボタン）の押回数によって選択中のチャネルを変更するように構成されていれば、コントローラ１あるいは端末２の大型化を回避できるという効果が期待できる。そのため、第１選択部１５３と第２選択部２４３とは、いずれか一方のみが、単一の押ボタン（登録確認ボタン）の押回数によって選択中のチャネルを変更するように構成されていてもよい。
【００５７】
ところで、上記実施形態では、ＨＥＭＳ機器であるコントローラ１が親機（通信装置）を構成し、各種の電気機器に付設あるいは一体化された端末２が子機を構成する通信システム１０を例示したが、この構成に限定する趣旨ではない。すなわち、通信システムは、親機と親機に登録された複数台の子機との間で通信を行う構成であればよく、たとえば電話システムであってもよい。
【符号の説明】
【００５８】
１  コントローラ（親機、通信装置）
２、２０１，２０２，・・・  端末（子機）
１０  通信システム
１５  制御部
１５１  登録部
１５２  切替部
１５３  第１選択部
２４  制御部
２４１  送信部
２４３  第２選択部
【図１】
2014049952.tif 000003
【図２】
2014049952.tif 000004
【図３】
2014049952.tif 000005
【図４】
2014049952.tif 000006